(57)【要約】【課題】ユーザが任意のタイミングで回線を捕捉する場合であっても、回線捕捉後に残留する呼出信号によって内部回路に過電流が流れることによる損傷を回避すること。【解決手段】本発明に係るファクシミリ通信装置は、画像データを公衆回線網を介して送受信するためのファクシミリ通信装置であって、公衆回線網から呼出信号を受信中であるか否かを検知する検知手段と、検知手段が呼出信号の受信中であることを検知した場合に、呼出信号に対して回線を捕捉すべき旨の指示をユーザから受け付ける受付手段と、受付手段が回線を捕捉すべき旨の指示を受け付けたことに応じて回線を捕捉するように制御する制御手段とを有し、制御手段は、受付手段が回線を捕捉すべき旨の指示を受け付けた場合であっても、検知手段が呼出信号の受信中であることを検知した場合には回線を捕捉しないように制御する。【選択図】図６
2012049647.tif 000002
【特許請求の範囲】
【請求項１】
画像データを公衆回線網を介して送受信するためのファクシミリ通信装置であって、
公衆回線網から呼出信号を受信中であるか否かを検知する検知手段と、
前記検知手段が前記呼出信号の受信中であることを検知した場合に、前記呼出信号に対して回線を捕捉すべき旨の指示をユーザから受け付ける受付手段と、
前記受付手段が回線を捕捉すべき旨の指示を受け付けたことに応じて前記回線を捕捉するように制御する制御手段とを有し、
前記制御手段は、前記受付手段が回線を捕捉すべき旨の指示を受け付けた場合であっても、前記検知手段が前記呼出信号の受信中であることを検知した場合には回線を捕捉しないように制御することを特徴とするファクシミリ通信装置。
【請求項２】
前記呼出信号の受信中に、公衆回線から前記呼出信号を受信中である旨をユーザに報知するための音を出力する出力制御手段を更に備え、
前記出力制御手段は、前記受付手段が回線を捕捉すべき旨の指示をユーザから受け付けた場合に、前記検知手段が前記呼出信号を受信中でないことを検知する前に、前記音の出力をオフにすることを特徴とする請求項１に記載のファクシミリ通信装置。
【請求項３】
外付け電話機と、
前記外付け電話機を前記公衆回線網に接続した状態、前記外付け電話機を前記公衆回線網と物理的に分離した直流電源に接続した状態のいずれかの状態に切り替える切替手段と、を更に備え、
前記出力制御手段は、前記切替手段により前記外付け電話機を前記公衆回線網に接続した状態から前記直流電源に接続した状態に切り替えることで前記外付け電話機から前記報知するための音が出力されないように制御することを特徴とする請求項２に記載のファクシミリ通信装置。
【請求項４】
画像データを公衆回線網を介して送受信するためのファクシミリ通信装置の制御方法であって、
前記ファクシミリ通信装置が備える検知手段が、公衆回線網から呼出信号を受信中であるか否かを検知する検知工程と、
前記ファクシミリ通信装置が備える受付手段が、前記検知手段が前記呼出信号の受信中であることを検知した場合に、前記呼出信号に対して回線を捕捉すべき旨の指示をユーザから受け付ける受付工程と、
前記ファクシミリ通信装置が備える制御手段が、前記受付手段が回線を捕捉すべき旨の指示を受け付けたことに応じて前記回線を捕捉するように制御する制御工程と、を有し、
前記制御手段は、前記受付手段が回線を捕捉すべき旨の指示を受け付けた場合であっても、前記検知手段が前記呼出信号の受信中であることを検知した場合には回線を捕捉しないように制御することを特徴とする制御方法。
【請求項５】
コンピュータを、
画像データを公衆回線網を介して送受信するためのファクシミリ通信装置における、
公衆回線網から呼出信号を受信中であるか否かを検知する検知手段、
前記検知手段が前記呼出信号の受信中であることを検知した場合に、前記呼出信号に対して回線を捕捉すべき旨の指示をユーザから受け付ける受付手段、
前記受付手段が回線を捕捉すべき旨の指示を受け付けたことに応じて前記回線を捕捉するように制御する制御手段、
として機能させるためのプログラムであって、
前記制御手段は、前記受付手段が回線を捕捉すべき旨の指示を受け付けた場合であっても、前記検知手段が前記呼出信号の受信中であることを検知した場合には回線を捕捉しないように制御することを特徴とするプログラム。
【発明の詳細な説明】
【技術分野】
【０００１】
本発明は、ファクシミリ通信装置、ファクシミリ通信装置の制御方法及びプログラムに関する。
【背景技術】
【０００２】
ファクシミリ通信装置の小型化を目的として、公衆回線網とのインターフェースに半導体化されたデータアクセスアレンジメント（ＤＡＡ；Ｄａｔａ  Ａｃｃｅｓｓ  Ａｒｒａｎｇｅｍｅｎｔ）が用いられている（例えば、特許文献１参照）。半導体ＤＡＡの場合、従来のライントランス等を用いた回線インターフェース（或いはＮＣＵ；Ｎｅｔｗｏｒｋ  Ｃｏｎｔｒｏｌ  Ｕｎｉｔ）に比べ、回線捕捉中（オフフック中）に回線間に印加される高電圧や大電流に対する耐性が一般的に低い。
【０００３】
一方、公衆回線網からの着信に対してユーザがマニュアル操作によって応答する手動受信モード（手動モード）を備えるファクシミリ通信装置が存在する。このようなファクシミリ通信装置は、網からの呼出信号を受けた場合に、着信呼出音を鳴らしたり、網からの呼出信号によってファクシミリ通信装置に接続された外付け電話機を鳴らしたりすることで、着信がきた旨をユーザに通知する。ユーザは、着信呼出音（鳴動音）を聞き、ファクシミリ通信装置が備えるオフフックに移行するためのキーを押下し、着信に対して応答する（例えば、特許文献２参照）。
【先行技術文献】
【特許文献】
【０００４】
【特許文献１】特開平０６−０９８０３８号公報
【特許文献２】特開平０９−２４７３０６号公報
【発明の概要】
【発明が解決しようとする課題】
【０００５】
しかしながら、半導体ＤＡＡを搭載したファクシミリ通信装置が、公衆回線網からの呼出信号に応答してオフフック（直流ループ閉結して回線を捕捉）したにもかかわらず、呼出信号を送出する交換機における直流ループの検出が遅延し、オフフック後にも交換機から呼出信号が送出され続ける場合がある。このように、オフフック後にも呼出信号が送出され続けると、半導体ＤＡＡを構成する電気回路が損傷を受ける可能性がある。特に、手動受信モードの場合に、ユーザが任意のタイミングでオフフックを実行するため、呼出信号の高電圧（例えば、交流電圧６５Ｖ（ｒｍｓ）〜８３Ｖ（ｒｍｓ））が直流ループを閉結した半導体ＤＡＡに印加される可能性がある。
【０００６】
本発明は、上記課題に鑑みてなされたものであり、ユーザが任意のタイミングで回線を捕捉する場合であっても、回線捕捉後に残留する呼出信号によって内部回路に過電流が流れることによる損傷を回避するものである。
【課題を解決するための手段】
【０００７】
上記課題を解決するため、本発明に係るファクシミリ通信装置は、画像データを公衆回線網を介して送受信するためのファクシミリ通信装置であって、公衆回線網から呼出信号を受信中であるか否かを検知する検知手段と、前記検知手段が前記呼出信号の受信中であることを検知した場合に、前記呼出信号に対して回線を捕捉すべき旨の指示をユーザから受け付ける受付手段と、前記受付手段が回線を捕捉すべき旨の指示を受け付けたことに応じて前記回線を捕捉するように制御する制御手段とを有し、前記制御手段は、前記受付手段が回線を捕捉すべき旨の指示を受け付けた場合であっても、前記検知手段が前記呼出信号の受信中であることを検知した場合には回線を捕捉しないように制御する。
【発明の効果】
【０００８】
本発明によれば、ユーザが任意のタイミングで回線を捕捉する場合であっても、回線捕捉後に残留する呼出信号によって内部回路に過電流が流れることによる損傷を回避することができる。
【図面の簡単な説明】
【０００９】
【図１】本発明の第１の実施形態における画像形成装置の全体構成を示す図である。
【図２】回線Ｉ／Ｆの詳細構成を示す図である。
【図３】操作パネルの詳細構成を示す図である。
【図４】（ａ）は一般的な呼出信号のパターンを示す図であり、（ｂ）は他の呼出信号のパターンを示す図である。
【図５】呼出信号の電圧波形を示す図である。
【図６】手動着信時の動作の一例を示すフローチャートである。
【図７】手動着信時の動作の他の例を示すフローチャートである。
【発明を実施するための形態】
【００１０】
以下、図面を参照して本発明の実施形態を詳細に説明する。なお、以下の実施形態は特許請求の範囲を限定するものでなく、また、実施形態で説明される特徴の組み合わせの全てが発明の解決手段に必須のものとは限らない。
【００１１】
（第１の実施形態）
＜全体構成（図１）＞
画像形成装置１００は、画像データを公衆回線網を介して送受信するためのファクシミリ通信装置として機能する。画像形成装置１００は、印刷部１０７、読取部１０９、操作パネル１１０、回線Ｉ／Ｆ１１２、及びこれらの制御を司るコントローラ１０１を備える。
【００１２】
コントローラ１０１は、ＣＰＵ１０２、ＲＡＭ１０３、ＲＯＭ１０４、印刷部Ｉ／Ｆ１０６、読取部Ｉ／Ｆ１０８、モデム１１１、ＵＳＢ  Ｉ／Ｆ１１５、ネットワークＩ／Ｆ１１８を含み、各ブロックはシステムバス１０５で接続されている。ＣＰＵ１０２は、各種制御プログラムに従って各ブロックを総括的に制御する。各種制御プログラムは、ＲＯＭ１０４のプログラム領域に記憶されており、ＣＰＵ１０２が所望のプログラムを読み出すことによって実行される。或いは、ＲＯＭ１０４のプログラム領域に記憶された圧縮されたデータをＲＡＭ１０３へ伸張、展開して実行される。また、図示しないハードディスクドライブ（ＨＤＤ）に前述の各種制御プログラムを圧縮状態／非圧縮状態で格納してもよい。
【００１３】
ネットワークＩ／Ｆ１１８は、ネットワーク網（ＬＡＮ）１２０などを介してホストＰＣ１１７（図中、ＰＣと表記；以降、ＰＣという）との通信処理を行う。ネットワークＩ／Ｆ１１８は、ＬＡＮケーブル１１９などの通信ケーブルによりネットワーク網１２０に接続される。
【００１４】
モデム１１１は、回線Ｉ／Ｆ１１２を介して公衆回線網１１４（ＰＳＴＮ）と接続し、公衆回線網１１４を経由して図示しない他の画像形成装置やファクシミリなどと通信処理を行う。回線Ｉ／Ｆ１１２は、例えば電話線１１３により公衆回線網１１４と接続される。また、回線Ｉ／Ｆ１１２は、外付け電話機１２１が接続され、ＦＡＸ通信と音声通信の切り替えも行う。なお、回線Ｉ／Ｆ１１２がコントローラ１０１の一部として構成されることもある。
【００１５】
印刷部Ｉ／Ｆ１０６は、印刷部１０７（プリンタエンジン）に画像信号を出力するインターフェースである。また、読取部Ｉ／Ｆ１０８は、読取部１０９（スキャナエンジン）からの読取画像信号を入力するインターフェースである。ＣＰＵ１０２は、読取部Ｉ／Ｆ１０９より入力された画像信号を処理し、記録画像信号として印刷部Ｉ／Ｆ１０６へ出力する。
【００１６】
ＣＰＵ１０２は、ＲＯＭ１０４のフォント領域に記憶されたフォント情報を用いて、操作パネル１１０の表示部に文字や記号を表示したり、ユーザの指示を受けた操作パネル１１０からの指示情報を受けたりする。
【００１７】
また、ＲＯＭ１０４のデータ領域には、ＣＰＵ１０２によって画像形成装置１００の装置情報や、ユーザの電話帳情報、部門管理情報などが記憶され、ＣＰＵ１０２により必要に応じて読み出され、必要に応じて更新される。
【００１８】
＜回線Ｉ／Ｆの詳細構成（図２）＞
続いて、図２を用いて本発明の実施形態における、画像形成装置１００の回線Ｉ／Ｆ１１２について詳細に説明する。回線Ｉ／Ｆ１１２は、システムサイドデバイス２０１、絶縁素子２０２、ラインサイドデバイス２０３、ＣＩ検知回路２０４、及びフォトカプラ２０５を備える。システムサイドデバイス２０１、絶縁素子２０２、及びラインサイドデバイス２０３は、半導体ＤＡＡ（Ｄａｔａ  Ａｃｃｅｓｓ  Ａｒｒｅｎｇｅｍｅｎｔ；或いは、シリコンＤＡＡともいう）を構成する。絶縁素子２０２は、半導体ＤＡＡのシステム側（２次側）と回線側（Ｔｅｌｅｃｏｍ側）とを絶縁（アイソレーション）するために設けられる。また、絶縁素子２０２には、例えば、アイソレーションキャパシタやトランスが用いられる。システムサイドデバイス２０１は、絶縁素子２０２を介して、モデム１１１とラインサイドデバイス２０３とがデータのやり取りを行うためのインターフェースとして機能する。ラインサイドデバイス２０３は、ＤＡＡ（或いはＮＣＵ；Ｎｅｔｗｏｒｋ  Ｃｏｎｔｒｏｌ  Ｕｎｉｔ）の機能を備えた半導体デバイスである。
【００１９】
また、ＣＩ検知回路２０４は、公衆回線網１１４（ＰＳＮＴ）とラインサイドデバイス２０３との間に設けられ、公衆回線網１１４からの呼出信号（ＣＩ信号；Ｃａｌｌ  Ｉｎｄｉｃａｔｏｒ、或いは、ＲＩ信号；Ｒｉｎｇ  Ｉｎｄｉｃａｔｏｒ）を検知する。図２では、ＣＩ検知回路２０４を半導体ＤＡＡ（ラインサイドデバイス）とは別に記載したが、本実施形態のように、半導体ＤＡＡの機能としてＣＩ検知機能がある場合に、その機能を用いてＣＰＵに通知する構成でもよい。ＣＩ検知回路２０４で生成されたＣＩを通知する信号（ＣＩ通知信号）は、フォトカプラ２０５を介してＣＰＵ１０２に通知される。
【００２０】
さらに、回線Ｉ／Ｆ１１２は、半導体ＤＡＡ２０７と並列に外付け電話機１２１が接続される。リレー２０８（切替手段）によって、外付け電話機１２１が公衆回線網１１４にダイレクトに接続されるモードと、公衆回線網１１４から物理的に分離されるモードとが選択可能になっている。リレー２０８は、ＣＰＵ１０２によって切り替えの指示がされる。外付け電話機１２１が公衆回線網１１４にダイレクトに接続されるモードの場合、公衆回線網１１４からの呼出信号が外付け電話機１２１に入力されるので、着信があった場合に外付け電話機１２１が鳴動する。したがって、「鳴動着信モード」などと称する。一方、リレー２０８を切り替え、外付け電話機１２１を公衆回線網１１４から切り離した状態のモードでは、公衆回線網１１４からの呼出信号は外付け電話機１２１に入力せず、回線Ｉ／Ｆ１１２のＣＩ検知回路２０４で着信を検出する。この時、着信があった場合でも外付け電話機は鳴動しない（着信呼出音が無効にされる）ので、このモードを「無鳴動着信モード」などと称する。
【００２１】
ユーザが外付け電話機１２１から発呼する（電話を掛ける）場合、画像形成装置１００は、外付け電話機１２１のオフフックを検知し、必要な処理を行う。例えば、画像形成装置１００が無鳴動着信モードの場合に、ユーザによって外付け電話機１２１がオフフックされた時に、それを検知しリレー２０８を公衆回線網１１４側に切り替えなければならない。その為、外付け電話機１２１のオフフックを検知する必要がある。一般的に、フック検知回路２０９は、外付け電話機１２１がオフフックされた時に流れる電流によってオフフックを検知し、その旨を通知する信号（フック信号）がＣＰＵ１０２へ通知される。前述の通り、無鳴動着信モード（リレー２０８によって外付け電話機１２１が公衆回線網１１４から切り離されている状態）であっても、電流によるオフフックの検知は必要である。したがって、電流を発生させるための直流電源が必要になる。無鳴動着信モードで外付け電話機１２１を公衆回線網１１４から切り離した場合に、外付け電話機１２１のオフフックを検知するため、リレー２０８で直流電源に接続する必要がある。そこで、リレー２０８で切り替えた先には直流電源回路２１１が接続される。
【００２２】
＜操作パネルの詳細構成（図３）＞
操作パネル１１０は、画像形成装置１００の操作を行うためのＵＩである。画像形成装置１００のファンクション（機能）を切り替えるボタンが、コピーキー３０１、ＦＡＸキー３０２、スキャンキー３０３である。これらのキーを押下することで表示部３０４に、そのファンクションを実行するための画面が表示される。表示部３０４は、例えば、液晶ディスプレイである。本発明は、ＦＡＸ機能を用いた時に有効な発明であるため、ここではＦＡＸ機能に関する操作パネル１１０について説明する。３０５はテンキーで、電話番号の入力などに用いる。スタートキー３０６及びストップキー３０７は、ＦＡＸ送信を実行する場合や、その動作を中止する場合に押下する。フックキー３０８（受付手段）は、ユーザが手動で着信に応答したり、手動でＦＡＸを送信したりする場合に用いる。リダイヤルキー３０９は、前回発信した番号に再び発信する場合に押下する。また、電話帳キー３１０は、画像形成装置１００に登録されている電話番号を呼び出す場合に押下する。さらに、矢印キー・ＯＫキー３１１は、表示部３０４に表示されたカーソルを動かしたり（矢印キー）、選択を決定したり（ＯＫキー）する場合に用いる。
【００２３】
画像形成装置１００には、ＦＡＸの受信モードとして、自動受信モードと、手動受信モードとの２つのモードがある。さらに、この２つのモードに加えて、画像形成装置１００に外付け電話機１２１が接続された場合に自動的に、通話の着信であるか、ＦＡＸの着信であるかを判断するＦＡＸ／ＴＥＬ自動切替モードがあってもよい。
【００２４】
自動受信モードとは、着信が入った場合に、所定のコール数が経過した後に自動的に着信に対して応答する（モデムによってオフフックする）モードである。一方、手動受信モードとは、着信が入った場合でも、画像形成装置１００がその呼び出しに対して応答せず、ユーザの操作に従って呼び出しに対して応答する受信モードである。手動受信モードの場合、ユーザは、外付け電話機１２１、もしくは、画像形成装置１００の操作パネル１１０上のフックキー３０８を操作することによって応答することができる。ユーザがフックキー３０８を押下すると、画像形成装置１００は、モデム１１１及び回線Ｉ／Ｆ１１２を介して公衆回線網１１４に対してオフフック（回線捕捉）する。具体的には、フックキー３０８が押下されたことを操作パネル１１０から通知されたＣＰＵ１０２は、モデム１１１に対し、オフフック（回線捕捉）することを指示する。フックキー３０８は、手動送信モードでも用いることができる。
【００２５】
＜呼出信号について（図４、図５）＞
図４は、呼出信号のパターンを示した図であり、横軸は時間を表す。図４は、ＮＴＴ東日本（東日本電信電話株式会社）の「電話サービスのインタフェース」に関する技術参考資料による。
【００２６】
図４（ａ）は、一般的な呼出信号のパターンを示しており、呼出信号がオンである期間Ｔ１と、呼出信号がオフである期間Ｔ２との繰り返しパターンになっている。この技術参考資料によると、呼出信号のオン期間Ｔ１は約１秒、呼出信号のオフ期間Ｔ２は約２秒である。
【００２７】
図４（ｂ）は、その他の呼出信号のパターンを示した図である。図４（ｂ）に示すパターンは、呼出信号がオンである期間Ｔ３の間に、短いオフ期間Ｔ４があり、その後、長いオフ期間Ｔ５があるパターンになっている。内線呼出などに用いられる呼出信号パターンには、図４（ｂ）のような呼出信号パターンが用いられる。この時、Ｔ３は０．２５〜０．３秒、Ｔ４は０．２〜０．３秒、Ｔ５は約２秒である。
【００２８】
図５は、呼出信号のオン期間中の電圧波形を示したものである。縦軸が電圧を表し、横軸が時間を表す。上記技術参考資料によると、呼出信号のオン期間では、１５〜２０Ｈｚの交流６５Ｖ（ｒｍｓ）〜８３Ｖ（ｒｍｓ）の信号が公衆回線網１１４から入力される（図５の５０３の区間）。一方、呼出信号のオフ期間（図５の５０４の区間）では、０Ｖ電位に対して直流電圧Ｖ１（＝約−４８Ｖ）が回線間に印加されている。また、呼出信号の交流電圧Ｖ２は６５Ｖ（ｒｍｓ）〜８３Ｖ（ｒｍｓ）である。
【００２９】
同技術参考資料には、公衆回線網１１４からの呼出信号に応答して、着信側端末がオフフックした場合に、それを検知した公衆回線網１１４は呼出信号を停止させることが記載されている。しかし、稀なケースとして着信側端末がオフフックしたにもかかわらず呼出信号が送出され続ける場合が想定される。そのような場合に、交流電圧６５Ｖ（ｒｍｓ）〜８３Ｖ（ｒｍｓ）（端末解放時）が、直流ループを閉成（ループ閉結）した半導体ＤＡＡ２０７に印加されることになる。半導体ＤＡＡ２０７は、ディスクリート部品で構成されたＮＣＵに比べ、一般的に直流ループ閉成時の大電流や高電圧に対する耐性が弱いとされる。そのため、直流ループ閉成後（オフフック後）、呼出信号の残留が発生すると、半導体ＤＡＡ２０７が破損する恐れがある。
【００３０】
特に、ユーザが任意のタイミングでオフフックを実行する手動受信モードにおいては、前述の呼出信号の受信中にオフフックする可能性があり、半導体ＤＡＡ２０７が破損する可能性があった。そこで、本実施形態では、以下のようにファクシミリ通信装置としての画像形成装置１００を制御する。
【００３１】
＜手動受信モードの制御フロー（図６）＞
まず、コントローラ１０１は、手動受信モードにおいては、着信に応答するためにユーザがフックキー３０８を押下するまで待機する（Ｓ６０１、Ｓ６０２）。フックキー３０８が押下された場合に、コントローラ１０１は、図２で説明したＣＩ検知回路２０４、或いはラインサイドデバイス２０３で呼出信号を監視し、その時点で呼出信号を受信中であるか否かを判定する（Ｓ６０３）。その時点で呼出信号を受信中である場合に、コントローラ１０１は、呼出信号を受信していない状態になるまで呼出信号の状態検知を繰り返す。一方、その時点で呼出信号を受信していない状態である場合に、コントローラ１０１は、直ちにオフフック（回線捕捉）して着信に応答する（Ｓ６０４）。オフフックした後に、ユーザによるＦＡＸ受信スタートの命令を受け付けた場合に、コントローラ１０１は、ＦＡＸ受信に移行する（Ｓ６０６）。その後、ＦＡＸ受信動作が完了し次第、コントローラ１０１は、手動受信モードの制御フローを終了する（Ｓ６０７）。
【００３２】
以上述べた通り、本実施形態では、ユーザから任意のタイミングでオフフックの命令を受けた場合であっても（Ｓ６０２）、呼出信号の受信中であることを検知した場合には（Ｓ６０３）、オフフックに移行しない（Ｓ６０４）。これにより、交流電圧が印加されている呼出信号の受信中におけるオフフックを回避することができるため、呼出信号の残留信号による半導体ＤＡＡ２０７の破損を回避することができる。
【００３３】
（第２の実施形態）
本実施形態は、図６に示す制御フローの一部を変更し、ユーザビリティの向上を図ったものである。画像形成装置１００のハードウェア構成については、図１及び図２に示した通りである。
【００３４】
＜手動受信モードの制御フロー（図７）＞
第１の実施形態（図６参照）では、ユーザがフックキー３０８を押下しても、呼出信号がオフになるまで応答がないことになるため、ユーザが正常に処理が進んでいないと誤解することも考えられる。このため、以下のように、Ｓ７０３の処理を追加することにより、フックキー３０８を押下した後に、直ちに、着信呼出音の出力を停止させることにより、その時点で処理が進んだことをユーザに示すことができる。これにより、ユーザの誤解を回避することが可能になる。
【００３５】
コントローラ１０１は、半導体ＤＡＡ２０７の破損を避けるため、ユーザがフックキー３０８を押下した場合であっても、その時点で呼出信号の受信中である場合には直ちにはオフフックに移行しない（Ｓ７０１、Ｓ７０２）。一方、Ｓ７０２でフックキー３０８の押下を検知した場合に、コントローラ１０１（出力制御手段）は、着信呼出音をオフにした後に（Ｓ７０３）、呼出信号の受信中でない場合に（Ｓ７０４）、オフフックして着信に応答する（Ｓ７０５）。以降の処理は、第１の実施形態と同様であるため、説明を省略する。
【００３６】
ここで、Ｓ７０３の着信呼出音をオフにする処理について詳細に説明する。着信呼出音とは、公衆回線網１１４からの呼出信号を受けて、外付け電話機１２１が着信を受けている旨をユーザに対して通知するために鳴らす音のことである。本実施形態においては、コントローラ１０１は、手動受信モードでスタンバイしていることを想定している。そのため、外付け電話機１２１が呼出信号を受けて着信呼出音を鳴らす（鳴動する）ことで、ユーザは着信があったことを認識する。その上で、ユーザによって操作パネル１１０のフックキー３０８が押下された場合に、本実施形態では、リレー２０８を直流電源回路２１１側に切り替える。これによって、外付け電話機１２１は公衆回線網１１４から切り離されるので、外付け電話機１２１の着信呼出音を停止させることができる。
【００３７】
このように、第１の実施形態と同様に半導体ＤＡＡの破損を回避するとともに、フックキーを押下したユーザに対して処理が正常に進んでいることを示すことが可能になる。
【００３８】
（第３の実施形態）
第２の実施形態では、着信呼出音をオフにする処理（Ｓ７０３）で外付け電話機１２１の接続先を半導体ＤＡＡ２０７から直流電源回路２１１に切り替えるリレー２０８の処理について説明した。一方、画像形成装置１００に外付け電話機１２１が接続されていない構成であっても本発明は好適に適用可能である。
【００３９】
着信を通知する着信呼出音を画像形成装置１００に内蔵された、図示しないスピーカ（報知手段）から出力する場合に、着信呼出音をオフにする処理（Ｓ７０３）は、当該スピーカからの出力をオフにする、という処理に置き換わる。これにより、画像形成装置１００に外付け電話機１２１が接続されていない構成で、手動受信を行う場合であっても、図７のフローチャートで示した処理を実施することで、本発明の課題を解消することができる。
【００４０】
ここまで実施形態を用いて説明してきたように、本発明を好適に適用することで、ユーザが任意のタイミングで着信に対して応答する手動受信モードにおいても、呼出信号による半導体ＤＡＡの破損を回避することが可能になる。
【００４１】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2012049647.tif 000003
【図２】
2012049647.tif 000004
【図３】
2012049647.tif 000005
【図４】
2012049647.tif 000006
【図５】
2012049647.tif 000007
【図６】
2012049647.tif 000008
【図７】
2012049647.tif 000009